【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
撮像デバイスのためのシャッタであって、
第１の平面的な部材及び第２の平面的な部材と、
第１のシャッタ部材及び第２のシャッタ部材と、
少なくとも１つの位置決め部材と、
少なくとも１つの駆動部材とを含み、
前記第１の平面的な部材及び前記第２の平面的な部材は、空洞と該空洞に隣接する少なくとも１つの側壁とを有するスリーブを形成し、
前記第１のシャッタ部材は、前記空洞内に配置される第１の端を有し、前記少なくとも１つの側壁に沿って摺動的に配置され、前記第２のシャッタ部材は、前記空洞内に配置される第２の端を有し、前記少なくとも１つの側壁に沿って摺動的に配置され、前記第１のシャッタ部材は、選択的に前記第２のシャッタ部材に向かって前進させられ且つ前記第２のシャッタ部材から後退させられて、それらの間に可変なアパーチャを定めるように構成され、前記第１のシャッタ部材及び前記第２のシャッタ部材は、多数の位置において前記少なくとも１つの側壁との熱接触を維持するように構成され、
前記少なくとも１つの位置決め部材は、前記第１のシャッタ部材及び前記第２のシャッタ部材を前記空洞内に選択的に位置付けるように構成され、
前記少なくとも１つの駆動部材は、前記少なくとも１つの位置決め部材を駆動させるように構成され、前記少なくとも１つの駆動部材は、前記少なくとも１つの駆動部材が前記少なくとも１つの位置決め部材を駆動させるときを除き、前記第１のシャッタ部材及び前記第２のシャッタ部材から熱的に隔離される、
シャッタ。
【請求項２】
前記第１の端及び前記第２の端は、互いに対向し合い且つ前記アパーチャを共に定めるように構成される凹部を有する、請求項１に記載のシャッタ。
【請求項３】
前記凹部の各々は、半円形の凹部を含む、請求項２に記載のシャッタ。
【請求項４】
前記少なくとも１つの駆動部材は、一対の駆動部材を含み、
前記少なくとも１つの位置決め部材は、一対の位置決め部材を含み、
前記駆動部材の各々は、それぞれのシャッタ部材の位置決めの間だけ前記シャッタ部材のそれぞれ１つを位置付けるよう前記位置決め部材のそれぞれ１つと選択的に係合するように構成される、凹部を有する、
請求項１に記載のシャッタ。
【請求項５】
前記位置決め部材の一方は、前記第１の端と対向するその端で前記第１のシャッタ部材に連結され、
前記位置決め部材の他方は、前記第２の端と対抗するその端で前記第２のシャッタ部材と連結される、
請求項４に記載のシャッタ。
【請求項６】
前記第１の平面的な部材と前記第２の平面的な部材との間に熱的に連結され、且つ前記第２のシャッタ部材の第２の端に対する前記第１のシャッタ部材の第１の端の進行を制限するように構成される、ストップ部材を更に含む、請求項１に記載のシャッタ。
【請求項７】
前記少なくとも１つの駆動部材は、前記少なくとも１つの駆動部材が前記少なくとも１つの位置決め部材を駆動させるときを除き、前記少なくとも１つの位置決め部材からの物理的な分離を維持するように構成される、請求項１に記載のシャッタ。
【請求項８】
撮像デバイスのためのシャッタであって、
第１の平面的な部材及び第２の平面的な部材と、
第１のシャッタ部材及び第２のシャッタ部材とを含み、
前記第１の平面的な部材及び前記第２の平面的な部材は、空洞と該空洞に隣接する少なくとも１つの側壁とを有するスリーブを形成し、前記少なくとも１つの側壁は、前記第１の平面的な部材と前記第２の平面的な部材との間に延び、
前記第１のシャッタ部材は、前記空洞内に配置される第１の端を有し、前記少なくとも１つの側壁に沿って摺動的に配置され、前記第２のシャッタ部材は、前記空洞内に配置される第２の端を有し、前記少なくとも１つの側壁に沿って摺動的に配置され、前記第１のシャッタ部材は、選択的に前記第２のシャッタ部材に向かって前進させられ且つ前記第２のシャッタ部材から後退させられて、それらの間に可変なアパーチャを定めるように構成され、
前記第１のシャッタ部材及び前記第２のシャッタ部材は、多数の位置において前記少なくとも１つの側壁との熱接触を維持するように構成され、
前記第１の端及び前記第２の端の各々は、熱反射表面を有する、
シャッタ。
【請求項９】
撮像デバイスのためのシャッタであって、
第１の平面的な部材及び第２の平面的な部材と、
第１のシャッタ部材及び第２のシャッタ部材とを含み、
前記第１の平面的な部材及び前記第２の平面的な部材は、空洞と該空洞に隣接する少なくとも１つの側壁とを有するスリーブを形成し、前記少なくとも１つの側壁は、前記第１の平面的な部材と前記第２の平面的な部材との間に延び、
前記第１のシャッタ部材は、前記空洞内に配置される第１の端を有し、前記少なくとも１つの側壁に沿って摺動的に配置され、前記第２のシャッタ部材は、前記空洞内に配置される第２の端を有し、前記少なくとも１つの側壁に沿って摺動的に配置され、前記第１のシャッタ部材は、選択的に前記第２のシャッタ部材に向かって前進させられ且つ前記第２のシャッタ部材から後退させられて、それらの間に可変なアパーチャを定めるように構成され、
前記第１のシャッタ部材及び前記第２のシャッタ部材は、多数の位置において前記少なくとも１つの側壁との熱接触を維持するように構成され、
前記第１及び第２のシャッタ部材並びに前記スリーブは、極低温で動作するように構成される、
シャッタ。
【請求項１０】
撮像デバイスのためのシャッタであって、
第１の平面的な部材及び第２の平面的な部材と、
第１のシャッタ部材及び第２のシャッタ部材とを含み、
前記第１の平面的な部材及び前記第２の平面的な部材は、空洞と該空洞に隣接する少なくとも１つの側壁とを有するスリーブを形成し、
前記第１のシャッタ部材は、前記空洞内に配置される第１の端を有し、前記少なくとも１つの側壁に沿って摺動的に配置され、前記第２のシャッタ部材は、前記空洞内に配置される第２の端を有し、前記少なくとも１つの側壁に沿って摺動的に配置され、前記第１のシャッタ部材は、選択的に前記第２のシャッタ部材に向かって前進させられ且つ前記第２のシャッタ部材から後退させられて、それらの間にアパーチャを定めるように構成され、前記アパーチャは、前記第１の端が第１の位置に配置されるときに第１の形状を有し、前記第１の端が第２の位置に配置されるときに第２の形状を有し、
前記第１のシャッタ部材及び前記第２のシャッタ部材は、多数の位置において前記少なくとも１つの側壁との熱接触を維持するように構成され、
前記第１のシャッタ部材及び前記第２のシャッタ部材は、前記第１の形状を有する前記アパーチャを定めること及び前記第２の形状を有する前記アパーチャを定めることの間に位置付けられるときに、１０ケルビンよりも多く温度変化しないように構成される、
シャッタ。
【請求項１１】
撮像デバイスのためのシャッタであって、
第１の平面的な部材及び第２の平面的な部材と、
第１のシャッタ部材及び第２のシャッタ部材と、
少なくとも１つの位置決め部材と、
少なくとも１つの駆動部材とを含み
前記第１の平面的な部材及び前記第２の平面的な部材は、空洞と該空洞に隣接する少なくとも１つの側壁とを有するスリーブを形成し、
前記第１のシャッタ部材は、前記空洞内に配置される第１の端を有し、前記少なくとも１つの側壁に沿って摺動的に配置され、前記第２のシャッタ部材は、前記空洞内に配置される第２の端を有し、前記少なくとも１つの側壁に沿って摺動的に配置され、前記第１のシャッタ部材は、選択的に前記第２のシャッタ部材に向かって前進させられ且つ前記第２のシャッタ部材から後退させられて、それらの間にアパーチャを定めるように構成され、前記アパーチャは、前記第１の端が第１の位置に配置されるときに第１の形状を有し、前記第１の端が第２の位置に配置されるときに第２の形状を有し、
前記少なくとも１つの位置決め部材は、前記第１のシャッタ部材及び前記第２のシャッタ部材を前記スリーブ内に選択的に位置付けるように構成され、
前記少なくとも１つの駆動部材は、前記少なくとも１つの位置決め部材を駆動させるように構成され、前記少なくとも１つの位置決め部材は、前記少なくとも１つの駆動部材が前記少なくとも１つの位置決め部材を駆動させるときを除き、前記第１のシャッタ部材及び前記第２のシャッタ部材から熱的に隔離され、
前記第１のシャッタ部材及び前記第２のシャッタ部材は、多数の位置において前記少なくとも１つの側壁との熱接触を維持するように構成され、
前記第１のシャッタ部材及び前記第２のシャッタ部材は、前記第１のシャッタ部材及び前記第２のシャッタ部材が極低温にあるときに、前記少なくとも１つの駆動部材からの少なくとも２００ケルビンの温度差を維持するように構成される、
シャッタ。
【請求項１２】
撮像デバイスのためのシャッタであって、
第１の平面的な部材及び第２の平面的な部材と、
第１のシャッタ部材及び第２のシャッタ部材と、
一対の位置決め部材と、
少なくとも１つの駆動部材とを含み、
前記第１の平面的な部材及び前記第２の平面的な部材は、それらの間に空洞を有するスリーブを形成し、
前記第１のシャッタ部材は、前記空洞内に配置される第１の端を有し、前記第２のシャッタ部材は、前記空洞内に配置される第２の端を有し、前記第１の端は、前記第２の端に対向し、前記第１のシャッタ部材及び前記第２のシャッタ部材は、選択的に互いに向かって前進させられ且つ互いから後退させられて、それらの間に可変なアパーチャを定めるように構成され、
前記一対の位置決め部材は、前記第１のシャッタ部材及び前記第２のシャッタ部材を前記空洞内に選択的に位置付けるように構成され、
前記少なくとも１つの駆動部材は、前記第１のシャッタ部材及び前記第２のシャッタ部材を選択的に位置付けるよう、前記一対の位置決め部材と選択的に係合するように構成され、前記少なくとも１つの駆動部材は、前記少なくとも１つの駆動部材が前記一対の位置決め部材と係合して前記第１のシャッタ部材及び前記第２のシャッタ部材を選択的に位置付けるときを除き、前記第１のシャッタ部材及び前記第２のシャッタ部材から熱的に隔離される、
シャッタ。
【請求項１３】
前記第１の端及び前記第２の端は、互いに対向し合い且つ丸いアパーチャを共に定めるように構成される半円形の凹部を有する、請求項１２に記載のシャッタ。
【請求項１４】
前記少なくとも１つの駆動部材は、
前記位置決め部材の第１のものと選択的に係合して前記第１のシャッタ部材を選択的に位置付けるように構成される第１の駆動部材と、
前記位置決め部材の第２のものと選択的に係合して前記第２のシャッタ部材を選択的に位置付けるように構成される第２の駆動部材とを含む、
請求項１２に記載のシャッタ。
【請求項１５】
前記第１の駆動部材及び前記第２の駆動部材の各々は、前記位置決め部材のうちの１つと選択的に係合するように構成される凹部を有するアームを含む、請求項１４に記載のシャッタ。
【請求項１６】
前記アームの凹部の各々は、前記位置決め部材のうちの１つを取り囲む開口を含む、請求項１５に記載のシャッタ。
【請求項１７】
前記駆動部材の前記アームを選択的に位置付けるように構成される少なくとも１つの双安定ソレノイドモータを更に含む、請求項１５に記載のシャッタ。
【請求項１８】
前記位置決め部材のうちの１つは、前記第１の端の反対側の前記第１のシャッタ部材の端に配置される、請求項１２に記載のシャッタ。
【請求項１９】
前記スリーブは、一対の細長い側壁を定め、
前記第１のシャッタ部材及び前記第２のシャッタ部材は、前記側壁に対して摺動的に配置される、
請求項１２に記載のシャッタ。
【請求項２０】
前記第１の端及び前記第２の端の各々は、熱反射表面を有する、請求項１２に記載のシャッタ。
【請求項２１】
前記第１のシャッタ部材及び前記第２のシャッタ部材並びに前記スリーブは、極低温で作動するように構成される、請求項１２に記載のシャッタ。